(57)【要約】【課題】  視聴している番組を中断することなく、ザッピング中にユーザが視聴意欲を駆られた番組のチャンネルに簡単な操作で快適に選局できる映像表示装置を得ることを目的とする。【解決手段】  複数の受信局の中から視聴するチャンネルを選択する選局手段１０２と、第１の指令により、前記選局手段１０２で選局中のチャンネルのチャンネル固定情報を格納するデータ記憶手段１０８と、前記データ記憶手段１０８に格納された前記チャンネルのチャンネル固定情報を提示する第１のＯＳＤ信号を生成するＯＳＤ生成手段１０９と、前記選局手段１０２で選局中のチャンネルの映像信号に、前記ＯＳＤ生成手段１０９で生成された前記第１のＯＳＤ信号を重畳させて出力する映像出力手段１０４とを備え、前記選局手段１０２は、第２の指令により、選局中のチャンネルから前記データ記憶手段１０８に格納された前記チャンネル固定情報のチャンネルに選局を変更することにした。【選択図】        図１
2008172689.tif 000002
【特許請求の範囲】
【請求項１】
複数の受信局の中から視聴するチャンネルを選択する選局手段と、
第１の指令により、前記選局手段で選局中のチャンネルのチャンネル固定情報を格納するデータ記憶手段と、
前記データ記憶手段に格納された前記チャンネルの前記チャンネル固定情報を表示する第１のＯＳＤ信号を生成するＯＳＤ生成手段と、
前記選局手段で選局中のチャンネルの映像信号に、前記ＯＳＤ生成手段で生成された前記第１のＯＳＤ信号を重畳させて出力する映像出力手段とを備え、
前記選局手段は、第２の指令により、選局中のチャンネルから前記データ記憶手段に格納された前記チャンネル固定情報のチャンネルに選局を変更する映像表示装置。
【請求項２】
受信データからチャンネルのシーン情報を解析してチャンネルシーン情報を出力する信号解析手段が設けられ、
前記選局手段は、前記データ記憶手段に格納されたチャンネルの受信データを前記信号解析手段に出力し、
前記信号解析手段は、前記チャンネルシーン情報と前記チャンネル固定情報を前記ＯＳＤ生成手段に出力し、
前記ＯＳＤ生成手段は、前記チャンネル固定情報及び前記チャンネルシーン情報を表示する第２のＯＳＤ信号を生成することを特徴とする請求項１に記載の映像表示装置。
【請求項３】
前記信号解析手段は、選択されたチャンネルのチャンネルシーン情報が変化したことを知らせるシーン情報変化コマンドを出力し、
前記選局手段は、前記シーン情報変化コマンドにより、選局中のチャンネルから前記選択されたチャンネルに選局を変更することを特徴とする請求項２に記載の映像表示装置。
【請求項４】
第３の指令により、前記データ記憶手段に格納されたチャンネルの番組を録画装置に出力する録画制御手段を備えたことを特徴とする請求項１ないし請求項３のいずれかに記載の映像表示装置。
【請求項５】
複数の受信局の中から視聴するチャンネルを選択する選局ステップと、
第１の指令により、前記選局ステップで選局中のチャンネルのチャンネル固定情報を格納する格納ステップと、
前記格納ステップにより格納された前記チャンネルの前記チャンネル固定情報を表示する第１のＯＳＤ信号を生成するＯＳＤ生成ステップと、
前記選局ステップで選局中のチャンネルの映像信号に、前記ＯＳＤ生成ステップで生成された前記第１のＯＳＤ信号を重畳させて出力する出力ステップと、
第２の指令により、選局中のチャンネルから前記格納ステップで格納された前記チャンネル固定情報のチャンネルに選局を変更するステップと、
を有してなる映像表示装置の制御プログラム。
【発明の詳細な説明】
【技術分野】
【０００１】
この発明は、複数のチャンネルの中から所望のチャンネルの選局を快適に行うことができるＤＴＶ装置や録画装置等の映像表示装置及び映像表示装置を制御するプログラムに関するものである。
【背景技術】
【０００２】
ＤＴＶ（Digital Television）装置や録画装置等の映像表示装置においては、チャンネル数の増加に対して、電子プログラムガイド（ＥＰＧ(Electronic Program Guide)）やチャンネルインデックス画面等により、ユーザに番組情報を提示して所望のチャンネルを選局できるような工夫がなされてきた。一方、ユーザが多数のチャンネルを順次視聴して（以下「ザッピング」と称する。）、実際に確認した番組の中から、チャンネルを選局するという欲求も依然として存在する。そこで、ザッピングした中から視聴時間の長かったチャンネルをユーザが興味を持ったチャンネルとみなして記録し、ザッピング後の表示画面に記録したチャンネルをリストとして提示するＤＴＶ装置が、又は、ザッピング中にユーザが指定したチャンネル情報を記録して、ザッピング後に記録したチャンネルに戻る機能を備えたＤＴＶ装置が提案されている。（例えば特許文献１参照。）
【０００３】
【特許文献１】特開２００５−１２４１０４号公報（段落００５６〜００７５、００９１、第４図、第７図）
【発明の開示】
【発明が解決しようとする課題】
【０００４】
上記のようなチャンネルリストを提示するＤＴＶ装置では、視聴している番組を中断してチャンネルリストを表示させなければ、興味を持った番組のチャンネルに移行できず、操作が複雑になり快適に選局することができないという問題があった。又、記録されたチャンネルに戻る機能を備えたＤＴＶ装置でも、ユーザが視聴意欲を駆られた番組を失念した場合、その時視聴している番組から記録した番組にチャンネルを切り替えて番組内容を再度確認しなければ、記録した番組のチャンネルに移行すべきか否かが判別できず、操作が複雑になり快適に選局することができないという問題があった。
【０００５】
この発明は、上記のような問題点を解決するためになされたものであり、視聴している番組を中断することなく、ザッピング中にユーザが視聴意欲を駆られた番組のチャンネルを簡単な操作で快適に選局できる映像表示装置を得ることを目的とする。
【課題を解決するための手段】
【０００６】
映像表示装置を、複数の受信局の中から視聴するチャンネルを選択する選局手段と、第１の指令により、前記選局手段で選局中のチャンネルの情報を格納するデータ記憶手段と、前記データ記憶手段に格納されたチャンネルの情報を表示するＯＳＤ信号を生成するＯＳＤ生成手段と、前記選局手段で選局中のチャンネルの映像信号に、前記ＯＳＤ生成手段で生成された前記ＯＳＤ信号を重畳させて出力する映像出力手段とを備え、前記選局手段は、第２の指令により、選局中のチャンネルから前記データ記憶手段に格納されたチャンネル固定情報のチャンネルに選局を変更することにした。
【発明の効果】
【０００７】
上記の構成によれば、ザッピング中にユーザが視聴意欲を駆られた番組を簡単な操作で快適に選局できる映像表示装置を得ることができる。
【発明を実施するための最良の形態】
【０００８】
実施の形態１．
図１〜７は、本発明の実施の形態１における映像表示装置及び映像表示装置を制御するプログラムを示したもので、図１は映像表示装置の回路構成を示すブロック図、図２は映像表示装置のリモコンを示す外観図、図３〜図５及び図７は映像表示装置を制御するプログラムを示すフローチャート、図６は映像表示装置における画面表示を示すイメージ図である。図において、映像表示装置は、アンテナ装置２００に接続されたＤＴＶ装置１００と、ＤＴＶ装置１００から出力された映像を表示する表示装置３００と、ＤＴＶ装置１００にリモコンコマンド信号を送信するリモコン４００を備えている。
【０００９】
ＤＴＶ装置１００は、アンテナ装置２００からの信号を受信してデータ化する受信部１０１と、受信部１０１からの受信データが入力され受信して、受信した受信データの中から選局されたチャンネルに対応する受信データ及び選局中のチャンネルＩＤを出力する選局部１０２と、選局部から出力された受信データを映像や音声等のデータに変換する映像生成部１０３と、映像生成部１０３が変換した映像や音声信号を表示装置３００に出力する映像表示部１０４を有する。さらに、リモコン装置４００から送信されたリモコンコマンドを受信するリモコン受信部１０５、及び時間を計測するタイマー１０７、第１の指令により、選局中のチャンネルのチャンネル固定情報を記憶するデータ記憶部１０８、選局部１０２からの情報を受けてＯＳＤ(On Screen Display)信号を生成し、生成したＯＳＤ信号を映像出力部１０４に出力するＯＳＤ生成部１０９を有する。そして、これらの各部１０１〜１０５、１０７〜１０９は制御部１０６から出力される制御コマンドに従って動作を行い、又動作状況によっては所定のコマンドを制御部１０６に出力する。つまり、選局部１０２、データ記憶部１０８、ＯＳＤ生成部１０９、映像出力部１０４は、制御部１０６との連携により、それぞれ複数の受信局の中から視聴するチャンネルを選択する選局手段と、第１の指令により、選局手段で選局中のチャンネルのチャンネル固定情報を格納するデータ記憶手段と、データ記憶手段に格納されたチャンネルのチャンネル固定情報を表示する第１のＯＳＤ信号を生成するＯＳＤ生成手段と、選局手段で選局中のチャンネルの映像信号に、第１のＯＳＤ信号を重畳させて出力する映像出力手段として機能する。
【００１０】
アンテナ装置２００は、デジタル放送やアナログ放送の放送波を受信して、電気信号として出力するアンテナである。但し、受信するのは、放送波（地上、ＢＳ(Broadcasting Satellite)、ＣＳ(Communication Satellite)）に限るものではなく、通信網やその他伝送経路からの信号を受信するものでもよい。
【００１１】
表示装置３００は、映像を表示する表示部及び音声を出力するスピーカー（ともに図示せず）等を備え、ＤＴＶ装置１００の映像出力部１０４から映像及び音声信号を受信し、前記表示部及び音声から映像と音声を出力する装置であり、ＤＴＶ装置１００と一体となって設けられている。
【００１２】
リモコン装置４００は図２に示すように、表面に各種ボタンが設けられており、ユーザによってボタンが押されると、各ボタンに割り当てられたリモコンコマンドをエンコードして、図示しない先端の発光部から赤外線によるＰＰＭ(Pulse Position Modulation)信号として出力する。このＰＰＭ信号をリモコン受信部１０５が受信してリモコンコマンドにデコードして制御部１０６に出力することにより、ＤＴＶ装置１００の動作を遠隔制御することができる。
【００１３】
次に、動作について説明する。
まず、通常の視聴状態について説明する。
アンテナ装置２００がデジタル放送を受信すると、受信された信号は、電気信号としてＤＴＶ装置１００の受信部１０１に入力される。受信された信号にはアンテナ装置２００で受信可能な多数のチャンネルの信号を含め、アンテナ装置の特性として受信可能な周波数帯の信号が含まれているが、受信部１０１は、それら全てをデータ化して選局部１０２に出力する。選局部１０２は、受信部１０１が出力した受信データの内、その時点で選局されているチャンネルに対応する受信データのみを選択し、映像生成部１０３に出力する。映像生成部１０３は、選局部１０２で選定され、出力された受信データを映像や音声のデータに変換し、映像出力部１０４に出力する。変換後の音声データや映像データは映像出力部１０４で処理され、出力用のデータとして表示装置３００に出力され、表示装置３００からは、映像や音声が出力される。これにより、ユーザは選定されているチャンネルの番組を視聴することができる。
【００１４】
ここで、ユーザが異なるチャンネルの番組を視聴したい場合は、リモコン装置４００のチャンネルボタン（チャンネル番号選局）やチャンネル移動ボタン（アップ（ダウン）選局）を押して、チャンネル切替を行うコマンドをＤＴＶ装置１００に送信する。すると、ＤＴＶ装置１００では、図３（ａ）のフローチャートに示すように動作する。リモコン受信部１０５がチャンネル切替のコマンド（番号選局コマンド又はアップ（ダウン）選局コマンド）を受信して制御部１０６に出力する。チャンネル切替コマンドを受信（Ｓ２００）した制御部１０６は、チャンネル切替コマンドを解析（Ｓ２１０：図３（ｂ））し、切替先のチャンネルが現在選局中のチャンネルと同一であれば対応せず（Ｓ２２０）、異なる場合（Ｓ２２０）は対応した制御コマンドを選局部１０２に出力して選局部１０２の動作を制御し、新たに選択されたチャンネルを選局（Ｓ２３０：図３（ｃ））して、選局先の番組が視聴できる状態となる。
【００１５】
ここで、チャンネル番号選局とは、視聴したい番組のチャンネル番号を指定して、現在視聴中のチャンネルに関係なく、直接指定したチャンネルに切り替えて選局することである。また、アップ（ダウン）選局とは、現在視聴中のチャンネルのＤＴＶ装置１００に記憶されているチャンネルリストの次（前）のチャンネルを選局することである。そのため、チャンネル切替コマンドの解析（Ｓ２３０）では、図３（ｂ）に示すようにコマンドがチャンネルボタンであれば（Ｓ２１１）、チャンネル番号を選局情報に変換（Ｓ２１２）し、切替先チャンネルの選局情報を得る（Ｓ２１３）。一方、コマンドがチャンネルボタンでなければ（Ｓ２１１）、アップ（ダウン）ボタンか否かを判別（Ｓ２１４）し、選局中（視聴中）のチャンネル番号を取得（Ｓ２１５）した後、チャンネル順格納リストを取得（Ｓ２１６）し、チャンネル順格納リスト中の次（前）のチャンネルの選局情報を得る（Ｓ２１７）。
【００１６】
そして、図３（ｃ）に示すように、得られた選局情報を選局部１０２にセット（Ｓ２３２）する。このとき、新たに選局されたチャンネルのチャンネル番号のデータが選局部１０２から所定時間映像出力部１０４に出力される。映像出力部１０４では、チャンネル番号を取得する（Ｓ２３４）と、選択されたチャンネルの番組の映像データにチャンネル番号を表示するデータを重畳し、表示装置３００からは所定の時間、映像の一部に新たに選局したチャンネルのチャンネル番号が表示（Ｓ２３６）される。
【００１７】
次に、ザッピングを行う場合について説明する。
リモコン装置４００のザッピングボタン４０１を押下すると、リモコン装置４００は、「ザッピング開始」を意味するコマンド信号を出力する。すると、リモコン受信部１０５が「ザッピング開始」コマンドを受信して制御部１０６に出力する。図４（ａ）に示すように「ザッピング開始」コマンドを受信（Ｓ３００）した制御部１０６は、データ記憶部１０８に「データクリア」コマンドを送信するとともに、タイマー部１０７に「タイマー開始」コマンドを送信する。「データクリアコマンド」を受信したデータ記憶部１０８は、内部に記憶した情報をクリア（Ｓ３１０）し、後述するリモコン装置４００でのふせん（付箋）ボタンに適応できる状態となる。一方、「タイマー開始」コマンドを受信したタイマー部１０７は、タイマーを作動（Ｓ３２０）させ、一定間隔ごとに制御部１０６に「時間経過」コマンドを送信する。制御部１０６は「時間経過」コマンドを受信する度（Ｓ３３０）に、選局部１０２に「アップ（ダウン）選局」コマンドを送信する。「アップ（ダウン）選局」を受信した選局部１０２（Ｓ３４０：図４（ｂ））は、現在選択されているチャンネルの次（前）のチャンネルにチャンネルを切り替えて、切り替えたチャンネルの番組が視聴できる状態となる。このとき、上述したように、映像出力部１０４では、切り替えられたチャンネルの番組の映像にチャンネルの番号を表示するデータを重畳し、表示装置３００からは所定の時間、映像の一部に切り替えられたチャンネルのチャンネル番号が表示される。
【００１８】
この間、ユーザが何も操作しなければ、最初に視聴していたチャンネルに戻り（Ｓ３５０）、タイマー部１０７のタイマーを終了（Ｓ３６０）するまで、順次チャンネルが切り替わっていく。なお、選局部１０２でのアップダウン選局は図４（ｂ）に示すように選局中（視聴中）のチャンネル番号を取得（Ｓ３４２）した後、チャンネル順格納リストを取得（Ｓ３４４）し、チャンネル順リスト中の次（前）のチャンネルの選局情報を得る（Ｓ３４６）ことにより選局（Ｓ３４８）する。
【００１９】
次に、ザッピング中にユーザが視聴意欲を駆られた、つまり興味を持った番組を見つけた場合について説明する。
上記のようにザッピングボタン４０１によってザッピングを行っている途中にふせんボタン４０２を押下すると、リモコン装置４００は「選局状態記憶」を意味するコマンドを送信する。すると、図５に示すようにリモコン受信部１０５が第１の指令である「選局状態記憶」コマンドを受信して制御部１０６に出力する。「選局状態記憶」コマンドを受信（Ｓ４００）した制御部１０６は、選局部１０２に「選局情報出力」コマンドを出力し、「選局情報出力」コマンドを受信した選局部１０２は、その時点で選局されているチャンネルのチャンネル番号や番組情報等のチャンネル固定情報を制御部１０６及びＯＳＤ生成部１０９に出力する。出力されたチャンネル固定情報を取得（Ｓ４１０）した制御部１０６は、チャンネル固定情報をデータ記憶部１０８に格納（Ｓ４２０）する。
【００２０】
一方、制御部１０６は、チャンネル固定情報を画面の一部に表示させる「ふせん表示」コマンドをＯＳＤ生成部１０９に送信する。「ふせん表示」コマンドを受けたＯＳＤ生成部１０９は、選局部１０２からデータ記憶部１０８に出力した情報と同じチャンネル固定情報を取得し、ユーザがふせんボタン４０２を押下したときに選局されていたチャンネルのチャンネル固定情報をユーザに表示する第１のＯＳＤ信号を作成する。チャンネル固定情報としては、チャンネル番号や、番組のタイトルやジャンル、または放送時刻のようなものでもよいが、ふせんボタン４０２を押下した時点で確定できる情報である。また、これらの情報は、例えば図示しないＥＰＧ機能により得られた情報から選局中のチャンネルに対応する情報を抽出して得るようにしてもよい。生成された第１のＯＳＤ信号は映像出力部１０４において映像生成部１０３から出力される視聴中のチャンネルの映像データと合成され、表示装置３００に出力（Ｓ４３０）される。つまり、ユーザがザッピング中に興味を持ったチャンネルにふせんが付けられることになる。
【００２１】
表示装置３００に表示される画面のデザインは、視聴中の番組の映像と、ふせんボタンで選択したチャンネルのチャンネル固定情報が視認できる形であればどのようなものでもよい。しかし、例えば、図６に示すようにチャンネル固定情報（チャンネル８、スポーツ番組）を視聴画面の外縁部にしおりのような形で表示する場合には、制御部１０６から映像生成部１０３に対して、視聴中の番組の映像サイズを縮小する指令を送信する。これにより、映像サイズが多少小さくなるが視聴中の番組を中断することなく、選択した番組が存在することをユーザに明確に表示することができる。この場合、ＯＳＤ生成部１０９によって縮小した番組の映像に縁取りを表示することもできる。一方、視聴中の番組をそのままの映像サイズで視聴したい場合、チャンネル固定情報を上述したチャンネル切替時のチャンネル番号の表示と区別できる程度に緑や白などの視認性の良好な色で表示する、又は、一定領域を塗潰して、その領域内にチャンネル固定情報を表示するようにしてもよい。さらに、ある番組が選択されたことを示すマークだけを表示しておき、ユーザの選択（リモコン装置４００に設けた図示しない表示切替ボタンを押下）によってマークだけの場合とチャンネル固定情報を表示するための画面表示に切り替えることができるような機能を設けてもよい。さらに、チャンネル固定情報自身やその背景となる塗潰し部分又はしおり部分を点滅させたり、あるいは表示位置を移動させたりする機能を設け、ユーザの好みに応じて適宜調整できるようにしてもよい。
【００２２】
次に、ふせん視聴ボタン４０２の押下によって記憶されたチャンネルに再選局する方法について説明する。図２に示すようにリモコン装置４００のふせん視聴ボタン４０３を押下すると、リモコン装置４００は、「記憶チャンネル再選局」を意味するコマンドを送信する。すると、図７（ａ）に示すようにリモコン受信部１０５が「記憶チャンネル再選局」コマンドを受信して制御部１０６に出力する。「記憶チャンネル再選局」コマンドを受信（Ｓ５００）した制御部１０６は、データ記憶部１０８に記憶されているチャンネル固定情報を取得（Ｓ５１０）する。制御部１０６は取得したチャンネル固定情報中の選局情報を取得（Ｓ５２０）し、取得した選局情報に基づいて選局指令コマンドを選局部１０２に送信する。選局部１０２は送信された選局情報を元に選局（Ｓ５３０）を行う。このとき、制御部１０６は図７（ｂ）に示すように、データ記憶部１０８に記憶されたチャンネル固定情報を消去（Ｓ５４２）するとともに、ＯＳＤ生成部１０９に対して「ふせん表示解除」コマンド（Ｓ５４４）を送信する。これにより、ＤＴＶ装置１００はふせん状態が解除（図７（ａ）Ｓ５４０）されてザッピングを開始する前の通常の視聴状態となる。但し、記憶チャンネルを再選局した後も、通常の視聴状態に戻らず、ザッピングの状態を続けるように設定することも可能である。
【００２３】
なお、選択したチャンネルの記憶を解除するためのボタン（図示せず）をリモコン装置４００に設け、ザッピング中にユーザが選択したチャンネルの記憶を解除できるようにしてもよい。その場合も図７（ｂ）のようにデータ記憶部１０８に記憶したデータが消去されると共に、ＯＳＤ生成部１０９により生成されたふせん表示に関するＯＳＤ信号は消滅し、映像出力部１０４からは現在視聴しているチャンネルの番組の映像のみが表示装置３００に出力される。
【００２４】
つまり、第１の指令である「選局状態記憶」コマンドにより、選局部１０２で選局中のチャンネルのチャンネル固定情報を格納するデータ記憶部１０８と、データ記憶部１０８に格納されたチャンネルのチャンネル固定情報を表示する第１のＯＳＤ信号を生成するＯＳＤ生成部１０９と、選局部１０２で選局中のチャンネルの番組の映像信号に、ＯＳＤ生成部１０９で生成された信号を重畳させて出力する映像出力部１０４とを備え、選局部１０２は、第２の指令である「記憶チャンネル再選局」コマンドにより、選局中のチャンネルからデータ記憶部１０８に格納されたチャンネルに選局を変更することにした。これにより、ザッピングの途中でユーザが興味をもったチャンネルを指定すると、そのチャンネルが記憶され、ふせんを付けた状態でそのチャンネルのチャンネル固定情報が画面上に表示される。そのため、ザッピングが進んで当該チャンネル以外のチャンネルを視聴している場合でも、ふせんを付けたチャンネルのチャンネル固定情報が表示されるので、ユーザが興味をもったチャンネルを失念することがない。そのため、ユーザが視聴している番組を中断することなく、簡単な操作で快適にふせんを付けた番組を再選局することができる。
【００２５】
また、複数の受信局の中から視聴するチャンネルを選択する選局ステップと、第１の指令により、前記選局ステップで選局中のチャンネルのチャンネル固定情報を格納する格納ステップと、前記格納ステップにより格納された前記チャンネルの前記チャンネル固定情報を表示する第１のＯＳＤ信号を生成するＯＳＤ生成ステップと、前記選局ステップで選局中のチャンネルの映像信号に、前記ＯＳＤ生成ステップで生成された前記第１のＯＳＤ信号を重畳させて出力する出力ステップと、第２の指令により、選局中のチャンネルから前記格納ステップで格納された前記チャンネル固定情報のチャンネルに選局を変更するステップと、を有してなるプログラムを映像表示装置にインストールし、インストールしたプログラムにより映像表示装置を制御した。そのため、ザッピングが進んで当該チャンネル以外のチャンネルを視聴している場合でも、ふせんを付けたチャンネルのチャンネル固定情報が表示されるので、ユーザが興味をもったチャンネルを失念することがない。そして、ユーザが視聴している番組を中断することなく、ふせん表示されたチャンネルの中から、簡単な操作で快適にふせんを付けた番組を再選局することができる。
【００２６】
実施の形態２．
図８は、本発明の実施の形態２におけるＤＴＶ装置１００における表示画面を示すイメージ図である。上述した実施の形態１では、ザッピング中にふせんを付けるチャンネルが１つの場合について説明したが、本実施の形態では複数のチャンネルに対してふせんを付けることができる場合について説明する。装置構成については実施の形態１と同様であり、説明を省略する。
【００２７】
まず、複数のふせんを付ける方法について説明する。ザッピングの開始方法や個々のふせんを付ける場合のチャンネル固定情報については実施の形態１と同様である。一方、データ記憶部１０８では複数のチャンネルに対するチャンネル固定情報を記憶し、又ＯＳＤ生成部１０９においては、データ記憶部１０８に格納されたチャンネル数に応じてふせんの数を増加させたり、あるいは優先順位をつけてふせん毎の表示方法を変えたりする等の機能が付与されている。
【００２８】
チャネル固定情報を視聴画面の外縁部にしおりのような形で表示する場合には、ふせんを付けたチャンネル数に応じてしおりの数を増加させていくことが考えられる。例えば、データ記憶部１０８に３つのチャンネルのチャンネル固定情報が格納されている場合、図８に示すように表示することができる。この場合、データ記憶部１０８に格納されるチャンネル数が増加して、各チャンネルに対応するしおりを横並びにした長さが画面の長さを超える場合には、適宜しおりの長さを縮めたり、一部が重なるように並べたりすることができる。このとき、後述するアクティブであるふせんに対応するしおり部分については長さを縮小せず、又は、重なりの前面に出して、優先的に表示するようにしてもよい。一方、視聴中の番組サイズを変更せずに、チャンネル固定情報を表示する場合も、同様に選択数やアクティブであるか否かに応じて優先的に表示するようにしてもよく、ユーザの選択によって、表示方法を切り替えることができるような機能を設けてもよい。
【００２９】
次に、付けられた複数のふせんの中から所望のチャンネルを選局する方法について説明する。
まず、複数のふせんの内、１つをアクティブな状態とする。デフォルトとしては最後にふせんをつけたチャンネルをアクティブな状態とし、アクティブなふせんについては色の変化や点滅等により、他のふせんと区別がつくようにする。これは、制御部１０６がＯＳＤ生成部１０９に対して、アクティブ選局情報を送信することにより、ＯＳＤ生成部１０９がアクティブ選局情報に対応したチャンネルのふせんを他のチャンネルのふせんと区別することにより実行される。そして、アクティブとなっているチャンネルを変更する場合には、リモコン装置４００の方向キー４０４を操作する。これにより、上述したようにリモコン受信部１０５−制御部１０６−ＯＳＤ生成部１０９という経路により指令が伝わり、アクティブとなっているチャンネルを変更し、変更した状態、つまり新たにアクティブになったチャンネルがどのチャンネルであるかを画面上に表示することができる。
【００３０】
ここで、ふせん視聴ボタン４０２を押下すると、アクティブとなっているチャンネルが実施の形態１と同様に選局され、選局したチャンネルの番組を視聴することができる。ただし、複数のふせんを付けることができる場合には、一度ふせんをつけたチャンネルに戻っても、別のふせんのチャンネルに移行するケースがある。そのため、本実施の形態２では、ふせん視聴ボタン４０３を押下しても、制御部１０６はデータ記憶部１０８に記憶された選局情報等の消去や、ＯＳＤ生成部１０９に対して「ふせん表示解除」コマンドを送信することなく、ふせんを表示したまま、つまりザッピング中と同じ状態で番組を視聴することになる。そこで、例えばザッピング終了を意味するふせんを画面に表示しておき、ザッピング終了のふせんを上述した方法によりアクティブにしてふせん視聴ボタン４０２を押下することにより、ザッピングが終了して通常の視聴状態に戻すようにしてもよい。また、リモコン装置４００に図示しないザッピング終了ボタンを設け、ザッピング終了ボタンを押下することにより、通常の視聴状態に戻すようにしてもよい。
【００３１】
なお、実施の形態１のように、ふせんを解除するためのボタン（図示せず）をリモコン装置４００に設けてもよい。そして、ザッピング中にユーザがふせんを付けたチャンネルのうち、例えば上記のようにアクティブになっているチャンネルについては、ふせん解除ボタンを押下することにより、ふせん付けを解除するようにしてもよい。また、ふせん付けを解除したチャンネルについては、データ記憶部１０８に記憶したデータが消去されると共に、ＯＳＤ生成部１０９では、ふせんを解除したチャンネルのチャンネル固定情報に関するＯＳＤ信号は消滅し、映像出力部１０４からは現在視聴しているチャンネルの番組の映像及び残りのふせんを付けたチャンネルのチャンネル固定情報のみが表示装置３００に出力される。
【００３２】
つまり、実施の形態２によれば、選局中のチャンネルの番組を視聴している状態で複数のチャンネルにふせんを付けて、その中から戻りたいチャンネルを簡単に選択することができる。そのため、ユーザが視聴している番組を中断することなく、簡単な操作で快適にふせんを付けた複数の番組から興味をもった番組を再選局することができる。
【００３３】
実施の形態３．
本実施の形態３では、ふせんをつけたチャンネルについて信号解析を行う信号解析部を設け、ふせんをつけたチャンネルのシーン情報等をリアルタイムで表示できるように構成した。図９は、本発明の実施の形態３における映像表示装置を示すブロック図である。図において、選局部１０２とＯＳＤ生成部１０９との間には、信号解析部１１２が設けられている。選局部１０２は、制御部１０６の指令により、ふせんをつけた（データ記憶部１０８に格納された）チャンネルの受信データを信号解析部１１２に出力し、信号解析部１１２は制御部１０６の指令により、選局部１０２から入力されたふせんをつけたチャンネルのシーン情報の解析を行い、解析したチャンネルシーン情報とチャンネル固定情報をＯＳＤ生成部１０９に出力する。そして、ＯＳＤ生成部１０９はチャンネル固定情報とチャンネルシーン情報を表示するための第２のＯＳＤ信号を生成する。つまり、選局手段は第１の指令によりふせんを付けたチャンネルの受信データを信号解析部１１２に出力し、制御部１０６との連携によって信号解析手段として機能する信号解析部は、選局手段から入力された受信データに基づいて解析したチャンネルシーン情報とチャンネル固定情報をＯＳＤ生成手段に出力し、ＯＳＤ生成手段は、チャンネル固定情報とリアルタイムに変化するチャンネルシーン情報とを表示するための第２のＯＳＤ信号を生成する。他は実施の形態２と同様であり、同一構成には同一符号を付して説明を省略する。
【００３４】
次に、動作について説明する。
まず、ユーザがザッピングを開始し、任意のタイミングで興味をもった番組のチャンネルに対しふせんを付ける方法については上述した通りである。
【００３５】
次に、ふせんを付けたチャンネルのチャンネルシーン情報をユーザに表示する方法について説明する。
図１０（ａ）は、本実施の形態３における映像表示装置の制御を示すプログラムのフローチャートである。ふせんを付けたチャンネルの受信データについては、他のチャンネルに切り替わった後でも、選局部１０２で処理され、信号解析部１１２に送信されつづける。信号解析部１１２はふせんを付けたチャンネルの受信データから当該チャンネルのチャンネルシーン情報を解析（Ｓ６００）する。シーン情報とは、例えばＣＭ中であるかどうか、ハイライトシーンであるかどうか、楽曲演奏シーンであるかどうか、また、シーンが大きく変化するシーンチェンジがあったかどうかなどを指す。これらのシーンの抽出方法については、例えば受信データを音声信号に変換した場合の音声の変化に着目して歓声や所定の周期の存在を解析するといった既存の解析手法等が適用できる。
【００３６】
信号解析部１１２によって解析されたチャンネルシーン情報は、チャンネル固定情報とともに、ＯＳＤ生成部１０９に入力され、ＯＳＤ生成部１０９は、当該チャンネルのふせん部分にチャンネル固定情報とリアルタイムで変化するチャンネルシーン情報を表示するための第２のＯＳＤ信号を生成する。このとき、チャンネルシーン情報が変化する、つまりシーン変化がある（Ｓ６１０）ときは、シーン変化が生じたチャンネルのチャンネル固定情報を取得（Ｓ６２０）し、予め設定されたシーン変化に対して行う処理設定判断に基づき（Ｓ６３０）、例えば、画面上でシーン変化があったことを表示する場合（Ｓ６４０）には、上述したアクティブか否かとは別の表示方法によって、例えば図１１に示すようにふせん部分を点滅させる、又は、色を変える等、ユーザに意識を向けるような表示方法が考えられる。
【００３７】
また、シーン変化に対して、シーン変化でふせんを付したチャンネルへの自動的な選局を行う場合（Ｓ６５０）について説明する。図１０（ｂ）に示すように、ふせんを付けたチャンネル（Ｓ７００）の中から、上述したアクティブとなるチャンネルを設定するのと同様の操作によって、シーン変更対応チャンネルを設定する。例えば、ふせんを付けたチャンネルの中からアクティブとなるふせんを選択（Ｓ７１０）し、その状態でリモコン装置４００の図示しない「気がかり」ボタン等を押下することにより、そのチャンネルを「気がかりチャンネル」として設定（Ｓ７２０）する。この状態において、気がかりとなったチャンネルについて、信号解析部１１２で解析したチャンネルシーン情報が変化すると、信号解析部１１２から制御部１０６へシーン情報変化コマンドが送信（Ｓ７３０）される。制御部１０６はシーン情報変化コマンドを受け取ると選局部１０２に選局コマンドを送出し、アクティブとなっているチャンネルに対してふせん視聴ボタンを押したときと同様に気がかりとなったチャンネルに自動的に選局（Ｓ６５０）され、気がかりだったチャンネルの番組を視聴することができる。
【００３８】
このように信号解析手段を設けて映像表示装置を構成したので、ユーザが興味をもってふせんを付けたチャンネルの中で、特に気がかりとなったチャンネルのシーンに関する情報を監視して、シーンが変化するときには通知するような表示、又は自動的に再選局を行うことができる。これにより、ユーザは例えば、ＣＭの終了時に気がかりなチャンネルに戻ったり、スポーツ番組の盛り上がり等のハイライトシーンで気がかりなチャンネルへ戻ったりすることができるので、ユーザの好シーンの見逃しを低減することができる。
【００３９】
なお、チャンネルシーン情報の変化に対応して気がかりのチャンネルを再選局する場合、特定のシーン、例えばＣＭが終了したときのみ移動するように設定できる機能を設けてもよい。また、ふせんを付けた全てのチャンネルに対してデフォルトとしてシーン変化に対応して選局されるように設定することも可能である。
【００４０】
実施の形態４．
本実施の形態４では、録画装置を制御する制御出力部を設け、ふせんをつけたチャンネルを任意のタイミングで録画できるように構成した。図１２は、本発明の実施の形態４における映像表示装置を示すブロック図である。図において、選局部１０２には、録画データ生成部１１０、録画データ出力部１１１が順次接続され、録画装置出力部１１１の出力は録画装置５００の入力端子（図示せず）に接続されている。又、制御部１０６の指令に基づいて録画装置５００の録画機能を制御する制御出力部１１３を設けている。つまり、録画データ生成部１１０、録画データ出力部１１１、制御出力部１１３は制御部１０６との連携によって録画制御手段として機能する。他は実施の形態３と同様であり、同一構成には同一符号を付して説明を省略する。
【００４１】
次に、動作について説明する。
まず、ユーザがザッピングを開始し、任意のタイミングで興味をもった番組のチャンネルに対しふせんを付ける方法については上述した通りである。
【００４２】
次に、ふせんを付けたチャンネルを録画する方法について図１３のフローチャートを用いて説明する。
ユーザが任意のタイミングでリモコン装置４００の裏（表）録画ボタン４０６（４０５）を押下すると、リモコン装置は「裏（表）録画開始」を意味するリモコンコマンド信号を送信する。リモコン受信部１０５は受信した第３の指令である「裏（表）録画開始」コマンドを制御部１０６に送信する。「裏（表）録画開始」コマンドを受信（Ｓ８００）した制御部１０６はコマンドが「裏」であるか「表」であるかによって（Ｓ８１０）、選局部１０２に裏（Ｓ８１０）（表（Ｓ８２０））に該当するチャンネルの選局情報を取得（Ｓ８４０）し、録画用の選局を指示する「裏（表）録画用選局」コマンドを送信する。なお、ここで裏とはふせんを付けたチャンネルの中でアクティブとなっているものを指し、表とは現在視聴しているチャンネルを指す。選局部１０２では、視聴中のチャンネルは変更せず、「裏（表）録画用選局」コマンドで指定されたチャンネルを別途録画用チャンネルとして選局（Ｓ８５０）する。選局部１０２で選局されたチャンネルの受信データは録画データ生成部１１０に出力され、録画用のデータに変換（Ｓ８６０）される。変換されたデータは録画データ出力部１１１に出力され、録画装置５００の入力端子に入力される。これと同時に制御部１０６は、制御出力部１１３に「録画装置起動」コマンドを送信（Ｓ８７０）する。「録画装置起動」コマンドを受信した制御出力部１１３は、録画装置５００に録画を開始させる制御信号を送出し、制御信号を受信した録画装置５００は、入力された録画用のデータを記録（録画）する。
【００４３】
なお、上記の例では、ふせん視聴ボタン４０３の押下によって選局されるアクティブなチャンネルを録画するように設定した例について説明したが、録画用に選局される候補として別途「録画準備状態」のチャンネルを設定し、そのチャンネルについて上述したように録画を開始できるようにしてもよい。また、実施の形態３における、シーンの変化に伴い選局する手法を応用し、気がかりなチャンネルのシーンの変化に対応して録画を開始するように設定してもよい。
【００４４】
このように録画制御手段を備えた構成によれば、ザッピング中に興味をもってふせんを付けたチャンネルの番組や、現在視聴中のチャンネルの番組をユーザの１操作による第３の指令、又は予め設定されたシーンの変化等に対応して録画することができる。そのため、ユーザは視聴意欲を駆られた番組を所望のタイミングで録画開始することができ、タイムシフト視聴を含めて見逃しを低減することができる。また、視聴していたチャンネル（表）の録画を開始してからふせんを付けたチャンネル（裏）に戻ることにより、表チャンネルをタイムシフト視聴することができるので見逃しを低減することができる。
【００４５】
なお、上記各実施の形態１〜４では、ザッピングボタン４０１を押下することにより、チャンネルを自動的に移動させるようにした。しかし、図示しないＤＴＶ装置１００の初期設定画面等でザッピングボタン４０１を押下した場合に、タイマー部１０７を動作させないように設定し、チャンネルの移動はユーザが任意に行うようにして、ふせん機能のみを発動させるようにしてもよい。
【図面の簡単な説明】
【００４６】
【図１】この発明の実施の形態１による映像表示装置の構成を示すブロック図である。
【図２】この発明の実施の形態１によるリモコン装置を示す外観図である。
【図３】この発明の実施の形態１による映像表示装置を制御するプログラムを示すフローチャートである。
【図４】この発明の実施の形態１による映像表示装置を制御するプログラムを示すフローチャートである。
【図５】この発明の実施の形態１による映像表示装置を制御するプログラムを示すフローチャートである。
【図６】この発明の実施の形態１による映像表示装置における画面表示を示すイメージ図である。
【図７】この発明の実施の形態１による映像表示装置を制御するプログラムを示すフローチャートである。
【図８】この発明の実施の形態２による映像表示装置における画面表示を示すイメージ図である。
【図９】この発明の実施の形態３による映像表示装置の構成を示すブロック図である。
【図１０】この発明の実施の形態３による映像表示装置を制御するプログラムを示すフローチャートである。
【図１１】この発明の実施の形態３による映像表示装置における画面表示を示すイメージ図である
【図１２】この発明の実施の形態４による映像表示装置の構成を示すブロック図である。
【図１３】この発明の実施の形態４による映像表示装置を制御するプログラムを示すフローチャートである。
【符号の説明】
【００４７】
１００  ＤＴＶ装置、  １０１  受信部、  １０２  選局部、  １０３  映像生成部、  １０４  映像出力部、  １０５  リモコン受信部、  １０６  制御部、  １０７  タイマー部、  １０８  データ記憶部、  １０９  ＯＳＤ生成部、  １１０  録画データ生成部、  １１１  録画データ出力部、  １１２  信号解析部、  １１３  制御出力部、  ２００  アンテナ装置、  ３００  表示装置、  ４００  リモコン装置、  ５００  録画装置、
【図１】
2008172689.tif 000003
【図２】
2008172689.tif 000004
【図３】
2008172689.tif 000005
【図４】
2008172689.tif 000006
【図５】
2008172689.tif 000007
【図６】
2008172689.tif 000008
【図７】
2008172689.tif 000009
【図８】
2008172689.tif 000010
【図９】
2008172689.tif 000011
【図１０】
2008172689.tif 000012
【図１１】
2008172689.tif 000013
【図１２】
2008172689.tif 000014
【図１３】
2008172689.tif 000015